【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】  架橋されており、かつ、架橋可能な有機珪素ポリマーゲルであって、ビニル末端フッ素含有ポリシロキサン及び反応性炭素−炭素二重結合と珪素‐水素基の両方を有する反応性ポリシロキサン樹脂を含む、前記有機珪素ポリマーゲル。
【請求項２】  前記反応性ポリシロキサン樹脂が、多環式ポリエン残基と環式（または四面体形の）シロキシシラン残基の交互構造を含む珪素炭化水素架橋剤を含む、請求項１に記載の有機珪素ポリマーゲル。
【請求項３】  ６４質量％〜９９質量％の範囲のビニル末端フッ素含有ポリシロキサンを含む、請求項２に記載の有機珪素ポリマーゲル。
【請求項４】  ７７質量％〜９０質量％の範囲のビニル末端フッ素含有ポリシロキサンを含む、請求項３に記載の有機珪素ポリマーゲル。
【請求項５】  前記ビニル末端フッ素含有ポリシロキサンが、２０モル％〜９０モル％の範囲において、３，３，３-トリフルオロプロピル基により置換されている、請求項２に記載の有機珪素ポリマーゲル。
【請求項６】  前記ビニル末端フッ素含有ポリシロキサンが、２０モル％〜６０モル％の範囲において、３，３，３-トリフルオロプロピル基により置換されている、請求項５に記載の有機珪素ポリマーゲル。
【請求項７】  １質量％〜３６質量％の範囲の珪素炭化水素架橋剤を含む、請求項２に記載の有機珪素ポリマーゲル。
【請求項８】  １０質量％〜２３質量％の範囲の珪素炭化水素架橋剤を含む、請求項７に記載の有機珪素ポリマーゲル。
【請求項９】  さらに、VIII族金属触媒を含む、請求項２、４、６または８に記載の有機珪素ポリマーゲル。
【請求項１０】  前記VIII族金属触媒が、白金をベースとする化合物、ロジウムをベースとする化合物、ルテニウムをベースとする化合物、イリジウムをベースとする化合物、パラジウムをベースとする化合物及びそれらの混合物からなる群から選択される、請求項９に記載の有機珪素ポリマーゲル。
【請求項１１】  前記VIII族金属触媒が、塩化白金酸、塩化白金、ジベンゾニトリル二塩化白金、炭素上の白金、シリカ上の白金、アルミナ上の白金、オレフィン系錯体、ＲｈＣｌ（ＰＰｈ3）3、ＲｈＣｌ（ＣＯ）（ＰＰｈ3）2、Ｒｕ3（ＣＯ）12、ＩｒＣｌ（ＣＯ）（ＰＰｈ3）4、Ｐｄ（ＰＰｈ3）4及びそれらの混合物からなる群から選択される、請求項１０に記載の有機珪素ポリマーゲル。
【請求項１２】  前記ゲルが、さらに、酸化防止剤、相溶性化剤、金属、鉱物及び有機充填剤、流れ調整剤、脱泡剤、接着促進剤、硬化速度調整剤並びにそれらの混合物からなる群から選択される添加剤を含む、請求項９に記載の有機珪素ポリマーゲル。
【請求項１３】  請求項１の有機珪素ポリマーゲルを保護封入剤として含有する電子センサーモジュール。
【請求項１４】  剛性の架橋したシリコーンの形の架橋されており、かつ、架橋可能な有機珪素ポリマーであって、ビニル末端フッ素含有ポリシロキサン及び反応性炭素−炭素二重結合と珪素‐水素基の両方を有する反応性ポリシロキサン樹脂を含む、前記有機珪素ポリマー。
【請求項１５】  前記反応性ポリシロキサン樹脂が、多環式ポリエン残基と環式（または四面体形の）シロキシシラン残基の交互構造を含む珪素炭化水素架橋剤を含む、請求項１４に記載の有機珪素ポリマー。
【請求項１６】  １質量％〜４０質量％の範囲のビニル末端フッ素含有ポリシロキサンを含む、請求項１５に記載の有機珪素ポリマー。
【請求項１７】  １質量％〜２０質量％の範囲のビニル末端フッ素含有ポリシロキサンを含む、請求項１６に記載の有機珪素ポリマー。
【請求項１８】  前記ビニル末端フッ素含有ポリシロキサンが、２０モル％〜９０モル％の範囲において、３，３，３-トリフルオロプロピル基により置換されている、請求項１５に記載の有機珪素ポリマー。
【請求項１９】  前記ビニル末端フッ素含有ポリシロキサンが、２０モル％〜６０モル％の範囲において、３，３，３-トリフルオロプロピル基により置換されている、請求項１８に記載の有機珪素ポリマー。
【請求項２０】  ６０質量％〜９９質量％の範囲の珪素炭化水素架橋剤を含む、請求項１５に記載の有機珪素ポリマー。
【請求項２１】  ８０質量％〜９９質量％の範囲の珪素炭化水素架橋剤を含む、請求項２０に記載の有機珪素ポリマー。
【請求項２２】  さらに、VIII族金属触媒を含む、請求項１５、１７、１９または２１に記載の有機珪素ポリマー。
【請求項２３】  前記VIII族金属触媒が、白金をベースとする化合物、ロジウムをベースとする化合物、ルテニウムをベースとする化合物、イリジウムをベースとする化合物、パラジウムをベースとする化合物及びそれらの混合物からなる群から選択される、請求項２２に記載の有機珪素ポリマー。
【請求項２４】  前記VIII族金属触媒が、塩化白金酸、塩化白金、ジベンゾニトリル二塩化白金、炭素上の白金、シリカ上の白金、アルミナ上の白金、オレフィン系錯体、ＲｈＣｌ（ＰＰｈ3）3、ＲｈＣｌ（ＣＯ）（ＰＰｈ3）2、Ｒｕ3（ＣＯ）12、ＩｒＣｌ（ＣＯ）（ＰＰｈ3）4、Ｐｄ（ＰＰｈ3）4及びそれらの混合物からなる群から選択される、請求項２３に記載の有機珪素ポリマー。
【請求項２５】  前記ポリマーが、さらに、酸化防止剤、相溶性化剤、金属、鉱物及び有機充填剤、流れ調整剤、脱泡剤、接着促進剤、硬化速度調整剤並びにそれらの混合物からなる群から選択される添加剤を含む、請求項２２に記載の有機珪素ポリマー。
【請求項２６】  請求項１４の有機珪素ポリマーを保護封入剤として含有する電子センサーモジュール。
【請求項２７】  架橋されており、かつ、架橋可能な有機珪素ポリマーであって、ビニル末端フェニル置換シロキサン及び反応性炭素−炭素二重結合と珪素‐水素基の両方を有する反応性ポリシロキサン樹脂を含む、前記有機珪素ポリマー。
【請求項２８】  前記反応性ポリシロキサン樹脂が、多環式ポリエン残基と環式（または四面体形の）シロキシシラン残基の交互構造を含む珪素炭化水素架橋剤を含む、請求項２７に記載の有機珪素ポリマー。
【請求項２９】  ２０質量％〜９９質量％の範囲のビニル末端フェニル置換シロキサンを含む、請求項２８に記載の有機珪素ポリマー。
【請求項３０】  ６０質量％〜９９質量％の範囲のビニル末端フェニル置換シロキサンを含む、請求項２９に記載の有機珪素ポリマー。
【請求項３１】  前記ビニル末端フェニル置換シロキサンが、１モル％〜４０モル％の範囲においてフェニル置換されている、請求項２８に記載の有機珪素ポリマー。
【請求項３２】  前記ビニル末端フェニル置換シロキサンが、２モル％〜２０モル％の範囲においてフェニル置換されている、請求項３１に記載の有機珪素ポリマー。
【請求項３３】  １質量％〜８０質量％の範囲の珪素炭化水素架橋剤を含む、請求項２８に記載の有機珪素ポリマー。
【請求項３４】  １質量％〜４０質量％の範囲の珪素炭化水素架橋剤を含む、請求項３３に記載の有機珪素ポリマー。
【請求項３５】  さらに、VIII族金属触媒を含む請求項２８、３０、３２または３４に記載の有機珪素ポリマー。
【請求項３６】  前記VIII族金属触媒が、白金をベースとする化合物、ロジウムをベースとする化合物、ルテニウムをベースとする化合物、イリジウムをベースとする化合物、パラジウムをベースとする化合物及びそれらの混合物からなる群から選択される、請求項３５に記載の有機珪素ポリマー。
【請求項３７】  前記VIII族金属触媒が、塩化白金酸、塩化白金、ジベンゾニトリル二塩化白金、炭素上の白金、シリカ上の白金、アルミナ上の白金、オレフィン系錯体、ＲｈＣｌ（ＰＰｈ3）3、ＲｈＣｌ（ＣＯ）（ＰＰｈ3）2、Ｒｕ3（ＣＯ）12、ＩｒＣｌ（ＣＯ）（ＰＰｈ3）4、Ｐｄ（ＰＰｈ3）4及びそれらの混合物からなる群から選択される、請求項３６に記載の有機珪素ポリマー。
【請求項３８】  前記ポリマーが、さらに、酸化防止剤、相溶性化剤、金属、鉱物及び有機充填剤、流れ調整剤、脱泡剤、接着促進剤、硬化速度調整剤並びにそれらの混合物からなる群から選択される添加剤を含む、請求項３５に記載の有機珪素ポリマー。
【請求項３９】  請求項２７の有機珪素ポリマーを保護封入剤として含有する電子センサーモジュール。
【請求項４０】  架橋されており、かつ、架橋可能な有機珪素ポリマーゲルであって、ビニル末端フッ素含有ポリシロキサン、ビニル末端フェニル置換シロキサン及び反応性炭素−炭素二重結合と珪素‐水素基の両方を有する反応性ポリシロキサン樹脂を含む、前記有機珪素ポリマーゲル。
【請求項４１】  前記反応性ポリシロキサン樹脂が、多環式ポリエン残基と環式（または四面体形の）シロキシシラン残基の交互構造を含む珪素炭化水素架橋剤を含む、請求項４０に記載の有機珪素ポリマーゲル。
【請求項４２】  ６４質量％〜９９質量％の範囲のビニル末端フッ素含有ポリシロキサン及びビニル末端フェニル置換シロキサンのブレンド物を含む、請求項４１に記載の有機珪素ポリマーゲル。
【請求項４３】  ７７質量％〜９０質量％の範囲のビニル末端フッ素含有ポリシロキサン及びビニル末端フェニル置換シロキサンのブレンド物を含む、請求項４２に記載の有機珪素ポリマーゲル。
【請求項４４】  前記ビニル末端フッ素含有ポリシロキサン及びビニル末端フェニル置換シロキサンのブレンド物が、７０質量％〜９９質量％の範囲のビニル末端フッ素含有ポリシロキサンを含む、請求項４３に記載の有機珪素ポリマーゲル。
【請求項４５】  前記ビニル末端フッ素含有ポリシロキサン及びビニル末端フェニル置換シロキサンのブレンド物が、８０質量％〜９９質量％の範囲のビニル末端フッ素含有ポリシロキサンを含む、請求項４４に記載の有機珪素ポリマーゲル。
【請求項４６】  前記ビニル末端フッ素含有ポリシロキサンが、２０モル％〜９０モル％の範囲において、３，３，３-トリフルオロプロピル基により置換されている、請求項４１に記載の有機珪素ポリマーゲル。
【請求項４７】  前記ビニル末端フッ素含有ポリシロキサンが、２０モル％〜６０モル％の範囲において、３，３，３-トリフルオロプロピル基により置換されている、請求項４６に記載の有機珪素ポリマーゲル。
【請求項４８】  前記ビニル末端フッ素含有ポリシロキサン及びビニル末端フェニル置換シロキサンのブレンド物が、１質量％〜３０質量％の範囲のビニル末端フェニル置換シロキサンを含む、請求項４１に記載の有機珪素ポリマーゲル。
【請求項４９】  前記ビニル末端フッ素含有ポリシロキサン及びビニル末端フェニル置換シロキサンのブレンド物が、１質量％〜２０質量％の範囲のビニル末端フェニル置換シロキサンを含む、請求項４８に記載の有機珪素ポリマーゲル。
【請求項５０】  前記ビニル末端フェニル置換シロキサンが、１モル％〜４０モル％の範囲においてフェニル置換されている、請求項４１に記載の有機珪素ポリマーゲル。
【請求項５１】  前記ビニル末端フェニル置換シロキサンが、２モル％〜２０モル％の範囲においてフェニル置換されている、請求項５０に記載の有機珪素ポリマーゲル。
【請求項５２】  １質量％〜３６質量％の範囲の珪素炭化水素架橋剤を含む、請求項４１に記載の有機珪素ポリマーゲル。
【請求項５３】  １０質量％〜２３質量％の範囲の珪素炭化水素架橋剤を含む、請求項５２に記載の有機珪素ポリマーゲル。
【請求項５４】  さらに、VIII族金属触媒を含む、請求項４１、４７、５１または５３に記載の有機珪素ポリマーゲル。
【請求項５５】  前記VIII族金属触媒が、白金をベースとする化合物、ロジウムをベースとする化合物、ルテニウムをベースとする化合物、イリジウムをベースとする化合物、パラジウムをベースとする化合物及びそれらの混合物からなる群から選択される、請求項５４に記載の有機珪素ポリマーゲル。
【請求項５６】  前記VIII族金属触媒が、塩化白金酸、塩化白金、ジベンゾニトリル二塩化白金、炭素上の白金、シリカ上の白金、アルミナ上の白金、オレフィン系錯体、ＲｈＣｌ（ＰＰｈ3）3、ＲｈＣｌ（ＣＯ）（ＰＰｈ3）2、Ｒｕ3（ＣＯ）12、ＩｒＣｌ（ＣＯ）（ＰＰｈ3）4、Ｐｄ（ＰＰｈ3）4及びそれらの混合物からなる群から選択される、請求項５５に記載の有機珪素ポリマーゲル。
【請求項５７】  前記ポリマーが、さらに、酸化防止剤、相溶性化剤、金属、鉱物及び有機充填剤、流れ調整剤、脱泡剤、接着促進剤、硬化速度調整剤並びにそれらの混合物からなる群から選択される添加剤を含む、請求項５４に記載の有機珪素ポリマーゲル。
【請求項５８】  請求項４０の有機珪素ポリマーゲルを保護封入剤として含有する電子センサーモジュール。
【手続補正２】
【補正対象書類名】明細書
【補正対象項目名】０００２
【補正方法】変更
【補正の内容】
【０００２】
【従来の技術】
架橋されており、かつ、架橋可能なシリコーンエラストマーを製造することは、当業界で既知であり、それらは主に２つの型の液状ポリシロキサンからなり、１つは主鎖に結合したビニル（または一般的なＣ＝Ｃ）を有するものであり、もう１つは珪素原子に直接結合した水素を有するものである。エラストマー材料を形成するための付加硬化（または架橋）反応は、室温または加熱条件下での白金または他の金属含有触媒の存在下のヒドロシリル化により生じる。シリコーン鎖に結合した置換基は、メチル、フェニルまたはフルオロアルキル（たいていはトリフルオロプロピル）であり得る。フルオロアルキル置換シリコーン（フルオロシリコーン）は一般に良好な耐薬品性を発揮し、一般に、電気／電子コンポーネント及び集成体を保護するためのコーティング、ポッティングまたは封入材料として用いられる。
【手続補正３】
【補正対象書類名】明細書
【補正対象項目名】０００７
【補正方法】変更
【補正の内容】
【０００７】
【課題を解決するための手段】
本発明は、架橋可能で、かつ、架橋されている有機珪素ポリマーを開示し、それは、反応性炭素−炭素二重結合と珪素‐水素基の両方を有し、多環式ポリエン残基と環式ポリシロキサン（または四面体形のシロキシシラン）残基の交互構造を特徴とする反応性ポリシロキサン樹脂（この後、珪素炭化水素架橋剤という）及びビニル末端フッ素含有ポリシロキサンまたはビニル末端フェニル置換ポリシロキサンのいずれかとの混合物から製造される。別の態様では、ポリマーはビニル末端フェニル置換ポリシロキサン及びビニル末端フッ素含有ポリシロキサンの混合物並びに珪素炭化水素架橋剤を含む。